(57)【要約】【課題】筋肉の柔軟性を高めるためのストレッチを行うことが可能な浴槽を提供する。【解決手段】本開示に係る浴槽は、底部（１１）、及び前記底部の外周から上方に延びる側壁部（１２）を有し、且つ上面視において長手方向（Ｙ方向）と短手方向（Ｘ方向）とを有する浴槽本体（１０）を備え、前記側壁部（１２）において、前記浴槽本体の前記短手方向に延びる部分（１２ａ）の内側には、ユーザが前記浴槽本体の内部に着座した状態で前記ユーザの背中と接触する背もたれ面（２０）が形成されており、前記背もたれ面（２０）は、上面視において、前記側壁部の内側に形成されるコーナー部（３０）よりも前記浴槽本体の内側に向かって張り出した形状を有し、且つ前記ユーザが前記浴槽本体の内部に着座した状態において前記ユーザの肩甲骨を内側に引き寄せる。【選択図】図１
2019170801.tif 000002
【特許請求の範囲】
【請求項１】
底部、及び前記底部の外周から上方に延びる側壁部を有し、且つ上面視において長手方向と短手方向とを有する浴槽本体を備え、
前記側壁部において、前記浴槽本体の前記短手方向に延びる部分の内側には、ユーザが前記浴槽本体の内部に着座した状態で前記ユーザの背中と接触する背もたれ面が形成されており、
前記背もたれ面は、上面視において、前記側壁部の内側に形成されるコーナー部よりも前記浴槽本体の内側に向かって張り出した形状を有し、且つ前記ユーザが前記浴槽本体の内部に着座した状態において前記ユーザの肩甲骨を内側に引き寄せる、浴槽。
【請求項２】
前記背もたれ面は、前記浴槽本体の内部に着座した状態の前記ユーザの腰部が位置する部分に背もたれ面下部を有し、
前記背もたれ面下部は、前記底部から上方へ向かって延び、且つ前記浴槽本体の前記長手方向において、前記浴槽本体の内側から外側へ向かって傾斜する３°以上１０°未満の勾配を有する、
請求項１に記載の浴槽。
【請求項３】
前記背もたれ面は、前記浴槽本体の内部に着座した状態の前記ユーザの肩甲骨が位置する部分に背もたれ面上部を有し、
前記背もたれ面上部は、前記背もたれ面下部から上方へ向かって延びており、
前記背もたれ面下部における前記コーナー部から前記浴槽本体の内側への張り出しは、前記背もたれ面上部に比べて小さい、
請求項２に記載の浴槽。
【請求項４】
前記背もたれ面下部は、前記背もたれ面において、前記浴槽本体の前記底部の上面から４００ｍｍ未満の範囲に形成されており、且つ前記底部の前記上面から２００ｍｍ以上の高さを有する、請求項３に記載の浴槽。
【請求項５】
前記背もたれ面上部は、前記背もたれ面において、前記浴槽本体の前記底部の上面から４００ｍｍ以上上方であり、且つ前記底部の前記上面から６４０ｍｍ未満の範囲に形成される、請求項３又は４に記載の浴槽。
【請求項６】
前記浴槽本体の上面視において、前記背もたれ面の中央部には、フラット面が形成されている、請求項１〜５のいずれか一項に記載の浴槽。
【発明の詳細な説明】
【技術分野】
【０００１】
本発明は、浴槽に関する。
【背景技術】
【０００２】
入浴者をリラックスさせ得る浴槽が知られている（例えば、特許文献１参照。）。
【０００３】
特許文献１には、脊柱起立筋群を緩めた状態の姿勢を実現させるために、浴槽の内壁面に対し、ヘッドレスト部と、背中保持部と、臀部保持部と、を内向きに凹となるように上下方向に連続して湾曲する凹曲面によって構成された浴槽が開示されている。
【先行技術文献】
【特許文献】
【０００４】
【特許文献１】特開２０１４−２８０３８号公報
【発明の概要】
【発明が解決しようとする課題】
【０００５】
近年、筋肉の柔軟性を高めるためのストレッチを行うことが可能な浴槽が求められている。
【０００６】
したがって、本開示は、前記課題を解決することにあって、筋肉の柔軟性を高めるためのストレッチを行うことが可能な浴槽を提供する。
【課題を解決するための手段】
【０００７】
前記目的を達成するために、本開示の一態様に係る浴槽は、
底部、及び前記底部の外周から上方に延びる側壁部を有し、且つ上面視において長手方向と短手方向とを有する浴槽本体を備え、
前記側壁部において、前記浴槽本体の前記短手方向に延びる部分の内側には、ユーザが前記浴槽本体の内部に着座した状態で前記ユーザの背中と接触する背もたれ面が形成されており、
前記背もたれ面は、上面視において、前記側壁部の内側に形成されるコーナー部よりも前記浴槽本体の内側に向かって張り出した形状を有し、且つ前記ユーザが前記浴槽本体の内部に着座した状態において前記ユーザの肩甲骨を内側に引き寄せる。
【発明の効果】
【０００８】
本開示に係る浴槽によれば、筋肉の柔軟性を高めるためのストレッチを行うことができる。
【図面の簡単な説明】
【０００９】
【図１】図１は、本開示の実施の形態１に係る浴槽の一例の概略斜視図である。
【図２】図２は、本開示の実施の形態１に係る浴槽の一例の概略平面図である。
【図３】図３は、図２の浴槽をＡ−Ａ線で切断した概略断面図である。
【図４】図４は、背もたれ面の詳細構成を示す図である。
【図５】図５は、背もたれ面の張り出し量を説明する図である。
【図６Ａ】図６Ａは、本開示の実施の形態１に係る浴槽を底部から４００ｍｍの位置で切断した概略断面斜視図である。
【図６Ｂ】図６Ｂは、本開示の実施の形態１に係る浴槽を底部から４００ｍｍの位置で切断した概略平面断面図である。
【図７Ａ】図７Ａは、本開示の実施の形態１に係る浴槽を底部から２００ｍｍの位置で切断した概略断面斜視図である。
【図７Ｂ】図７Ｂは、本開示の実施の形態１に係る浴槽を底部から２００ｍｍの位置で切断した概略平面断面図である。
【図８】図８は、変形例の浴槽の概略平面図である。
【図９Ａ】図９Ａは、別の変形例の浴槽を底部から４００ｍｍの位置で切断した概略平面断面図である。
【図９Ｂ】図９Ｂは、別の変形例の浴槽を底部から２００ｍｍの位置で切断した概略平面断面図である。
【発明を実施するための形態】
【００１０】
以下、本開示の実施形態について、添付の図面を参照しながら説明する。また、各図においては、説明を容易なものとするため、各要素を誇張して示している。
【００１１】
（実施の形態１）
［全体構成］
本開示の実施の形態１に係る浴槽の一例について説明する。図１は、本開示の実施の形態１に係る浴槽１の一例の概略斜視図である。図２は、本開示の実施の形態１に係る浴槽１の一例の概略平面図である。図３は、図２の浴槽１をＡ−Ａ線で切断した概略断面図である。図１〜３中のＸ，Ｙ，Ｚ方向は、それぞれ、浴槽１の短手方向、長手方向、高さ方向を示す。
【００１２】
図１〜３に示すように、浴槽１は、湯水を溜める浴槽本体１０を備える。浴槽本体１０は、底部１１、及び底部１１の外周から上方に延びる側壁部１２を有し、且つ上面視において長手方向（Ｙ方向）と短手方向（Ｘ方向）とを有する。なお、上面視とは、Ｚ方向から見ることを意味する。実施の形態１では、浴槽本体１０の上端、即ち、側壁部１２の上端には、フランジ部１３が設けられている。
【００１３】
＜底部＞
底部１１は、浴槽本体１０の底の部分である。底部１１は、上面視において、長手方向（Ｙ方向）と短手方向（Ｘ方向）とを有する矩形状に形成されている。また、底部１１には、湯水を排水する排水口が設けられている。底部１１は、排水口に向かって緩やかに傾斜している。
【００１４】
＜側壁部＞
側壁部１２は、底部１１の外周から上方に延びる部分である。側壁部１２は、矩形状の底部１１の外周に沿って形成されている。このため、側壁部１２は、上面視において、底部１１のコーナー部分で湾曲し、底部１１の外周を囲うように形成されている。
【００１５】
側壁部１２は、浴槽本体１０の短手方向（Ｘ方向）に延びる２つの部分１２ａと、長手方向（Ｙ方向）に延びる２つの部分１２ｂとで形成されている。具体的には、側壁部１２において短手方向（Ｘ方向）に延びる２つの部分１２ａは、互いに対向して設けられている。側壁部１２において長手方向（Ｙ方向）に延びる２つの部分１２ｂは、互いに対向して設けられている。短手方向（Ｘ方向）に延びる２つの部分１２ａと、長手方向（Ｙ方向）に延びる２つの部分１２ｂとは、それぞれの端部で互いに接続されている。
【００１６】
側壁部１２において、浴槽本体１０の短手方向に延びる部分１２ａの内側には、背もたれ面２０と傾斜面２１とが形成されている。実施の形態１では、側壁部１２の短手方向に延びる２つの部分１２ａの内側に、それぞれ、背もたれ面２０と傾斜面２１とが形成されている。
【００１７】
＜背もたれ面＞
背もたれ面２０は、ユーザが浴槽本体１０の内部に着座した状態でユーザの背中と接触する面である。背もたれ面２０は、浴槽本体１０の底部１１から上方に向かって延び、傾斜面２１に接続される。
【００１８】
傾斜面２１は、背もたれ面２０から上方へ向かって延び、フランジ部１３に接続される。傾斜面２１は、フランジ部１３から浴槽本体の底部１１に向かって下方へ傾斜している。実施の形態１では、浴槽１は傾斜面２１を有する例について説明しているが、傾斜面２１は必須の構成ではない。
【００１９】
側壁部１２の内側において、上面視において、浴槽本体１０の短手方向（Ｘ方向）に延びる部分１２ａと、長手方向（Ｙ方向）に延びる部分１２ｂとが接続される部分に、コーナー部３０が形成されている。図１及び図２では、コーナー部３０は、説明を容易にするために点線で示しているが、連続した曲面で形成されていてもよい。即ち、コーナー部３０は、浴槽本体１０の内側から外側に窪む凹状に形成されていてもよい。
【００２０】
図１及び図２に示すように、背もたれ面２０は、上面視において、側壁部１２の内側に形成されるコーナー部３０よりも浴槽本体１０の内側に向かって張り出した形状を有する。これにより、背もたれ面２０は、ユーザの肩甲骨を内側に引き寄せることができる。具体的には、ユーザが浴槽本体１０の内部に着座した状態において、ユーザの肩及び肘は、ユーザの背面側に位置するコーナー部３０に引くことができる。このとき、ユーザの背中は、背もたれ面２０によって支持されるため、ユーザの胸部が浴槽本体１０の内側へ押し出される。これにより、ユーザは、肩甲骨を内側に引き寄せることができる。その結果、鎖骨、肩甲骨及び上腕骨を接続する筋肉を伸縮させることによって、ストレッチを行うことができる。
【００２１】
図２に示すように、背もたれ面２０は、上面視において、浴槽本体１０の内側へ突出している。具体的には、背もたれ面２０は、上面視において、アーチ状に湾曲して形成されている。ここで、上面視において、背もたれ面２０が浴槽本体１０の内側へ最も張り出している部分は、背もたれ面２０の中央部である。背もたれ面２０の中央部とは、長手方向（Ｙ方向）に延びる浴槽本体１０の中心線が通る部分である。
【００２２】
図１及び図３に示すように、背もたれ面２０は、背もたれ面下部２２と、背もたれ面上部２３と、を有する。
【００２３】
背もたれ面下部２２は、背もたれ面２０において、浴槽本体１０の内部に着座した状態のユーザの腰部が位置する部分である。腰部とは、少なくとも臀部を含み、臀部から腰までの部分を含んでもよい。背もたれ面下部２２は、底部１１と接続されている。背もたれ面下部２２は、底部１１から上方へ向かって延び、背もたれ面上部２３に接続される。
【００２４】
背もたれ面上部２３は、背もたれ面２０において、浴槽本体１０の内部に着座した状態のユーザの肩甲骨が位置する部分である。背もたれ面上部２３は、背もたれ面下部２２から上方へ向かって延び、傾斜面２１に接続される。
【００２５】
図３に示すように、背もたれ面下部２２及び背もたれ面上部２３は、浴槽本体１０の長手方向（Ｙ方向）において、浴槽本体１０の内側から外側へ向かって傾斜している。
【００２６】
背もたれ面下部２２は、浴槽本体１０の長手方向（Ｙ方向）において、浴槽本体１０の内側から外側へ向かって傾斜する３°以上１０°未満の勾配θ１を有する。勾配θ１は、底部１１の上面から垂直に延びる面に対する傾斜の度合いを意味する。実施の形態１では、背もたれ面上部２３は、背もたれ面下部２２の勾配θ１よりも大きい勾配を有する。
【００２７】
図４は、背もたれ面２０の構造を示す図である。また、図４は、ユーザが浴槽本体１０の内部に着座した状態を示す。図４に示すように、背もたれ面下部２２は、背もたれ面２０において、浴槽本体１０の内部に着座した状態のユーザの腰部Ａ１が位置する部分Ｓ１に形成されている。
【００２８】
例えば、背もたれ面下部２２は、背もたれ面２０において、底部１１の上面から２００ｍｍ以上の高さを有する。また、背もたれ面下部２２は、浴槽本体１０の底部１１の上面から４００ｍｍ未満の範囲に形成されている。
【００２９】
なお、背もたれ面下部２２は、ユーザが浴槽本体１０の内部に着座した状態において、ユーザの腰部Ａ１が位置する部分Ｓ１を含む範囲に形成されていればよい。
【００３０】
背もたれ面下部２２は、３°以上１０°未満の勾配θ１で形成されているため、ジェットバスなどの機能部材を容易に設置することができる。
【００３１】
背もたれ面上部２３は、ユーザが浴槽本体１０の内部に着座した状態において、ユーザの肩甲骨Ａ２が位置する部分Ｓ２に形成されている。例えば、背もたれ面上部２３は、浴槽本体１０の底部１１から４００ｍｍ以上上方に形成されている。また、背もたれ面上部２３は、浴槽本体１０の底部１１から６４０ｍｍ未満の範囲に形成されている。
【００３２】
具体的には、背もたれ面上部２３の頂辺が、浴槽本体１０の底部１１から４００ｍｍ以上上方であって、浴槽本体１０の底部１１から６４０ｍｍ未満の範囲に形成されていればよい。背もたれ面上部２３の頂辺とは、背もたれ面上部２３を画定する最も高い位置にある辺である。実施の形態１では、背もたれ面上部２３の頂辺は、背もたれ面上部２３と傾斜面２１とが互いに接するラインを意味する。具体的には、背もたれ面上部２３の頂辺は、上面視において、浴槽本体１０の短手方向（Ｘ方向）に延びるラインである。
【００３３】
背もたれ面２０において、肩甲骨Ａ２の位置する部分Ｓ２について説明する。ヒトの構造において、肩甲骨の最も高い位置に対応する部分は、例えば、胸椎のうち第２胸椎である。また、肩甲骨の最も低い位置に対応する部分は、例えば、胸椎のうち第７胸椎である。ユーザが着座した状態で最も底部１１に近い位置に配置されるのは、骨盤の座骨である。
【００３４】
よって、背もたれ面２０において、肩甲骨Ａ２の位置する部分Ｓ２を、座骨から第２胸椎までの寸法、及び座骨から第７胸椎までの寸法に基づいて決定する。なお、座骨から第２胸椎までの寸法は、背もたれ面上部２３の頂辺が形成される高さの上限値に相当し、座骨から第７胸椎までの寸法は背もたれ面上部２３の頂辺が形成される高さの下限値に相当する。
【００３５】
ユーザは、性別及び体格によって肩甲骨の位置が異なる。そこで、小柄な体格のユーザから大柄な体格のユーザに対応できるように、日本人の人体寸法データ（日本人の人体寸法データ２００４−２００６、一般社団法人  人間生活工学研究センター）により、座骨から第２胸椎までの寸法、及び座骨から第７胸椎までの寸法を決定する。具体的には、日本人の人体寸法データに基づいて、パーセントタイルを用いて座骨から第２胸椎までの寸法及び座骨から第７胸椎までの寸法を取得する。
【００３６】
表１は、５％ｔｉｌｅ（女性）と９５％ｔｉｌｅ（男性）の座骨から第２胸椎までの寸法及び座骨から第７胸椎までの寸法を示す。
【００３７】
【表１】
2019170801.tif 000003
【００３８】
表１において、「５％ｔｉｌｅ（女性）」は小柄な女性を示し、「９５％ｔｉｌｅ（男性）」は大柄な男性を示す。表１に示すように、座骨から第２胸椎までの寸法で最も大きい寸法は９５％ｔｉｌｅ（男性）の６３８ｍｍである。また、座骨から第７胸椎までの寸法で最も小さい寸法は５％ｔｉｌｅ（女性）の４０４ｍｍである。
【００３９】
よって、肩甲骨の最も高い位置は座骨から６４０ｍｍとし、肩甲骨の最も低い位置は座骨から４００ｍｍであると決定する。これにより、背もたれ面２０において、肩甲骨Ａ２の位置する部分Ｓ２は、浴槽本体１０の底部１１から４００ｍｍ以上上方であって、浴槽本体１０の底部１１から６４０ｍｍ未満の範囲に決定される。
【００４０】
したがって、背もたれ面上部２３は、浴槽本体１０の底部１１から４００ｍｍ以上上方であり、且つ浴槽本体１０の底部１１から６４０ｍｍ未満の範囲に形成されていればよい。具体的には、背もたれ面上部２３の頂辺が、浴槽本体１０の底部１１から４００ｍｍ以上上方であり、且つ浴槽本体１０の底部１１から６４０ｍｍ未満の範囲に形成されていればよい。
【００４１】
次に、背もたれ面２０の浴槽本体１０の内側への張り出し量Ｌ１について説明する。張り出し量Ｌ１とは、背もたれ面２０が側壁部１２の内側のコーナー部３０から浴槽本体１０の内側へ最も張り出した量を意味する。また、張り出し量Ｌ１は、高さ方向（Ｚ方向）において、同じ高さにおいて、背もたれ面２０のうち浴槽本体１０の内側へ最も張り出した部分とコーナー部３０との間の距離を意味する。具体的には、浴槽１をＸＹ平面で切断した断面において、側壁部１２の短手方向（Ｘ方向）に延びる部分１２ａの両端に形成される２つのコーナー部３０を結ぶ線分から、背もたれ面２０のうち浴槽本体１０の内側へ最も張り出した部分を張り出し量Ｌ１とする。なお、ＸＹ平面とは、底部１１と平行な面を意味する。
【００４２】
図５は、背もたれ面２０の張り出し量Ｌ１を説明する図である。なお、図５は、ユーザを上から見た図を示す。図５に示すように、張り出し量Ｌ１は、肩峰点５１から肘頭５２までの距離Ｌ２と、背面５３から肩峰点５１までの距離Ｌ３と、肩甲骨の関節可動域θ２と、に基づいて算出する。具体的には、以下の式（１）によって張り出し量Ｌ１を算出する。
【００４３】
【数１】
2019170801.tif 000004
【００４４】
なお、肩峰点５１から肘頭５２までの距離Ｌ２と、背面５３から肩峰点５１までの距離Ｌ３は、ユーザの性別及び体格によって異なる。そこで、小柄な体格のユーザから大柄な体格のユーザに対応できるように、日本人の人体寸法データ（日本人の人体寸法データ２００４−２００６、一般社団法人  人間生活工学研究センター）により、座骨から第２胸椎までの寸法、及び座骨から第７胸椎までの寸法を決定する。具体的には、日本人の人体寸法データに基づいてパーセントタイルを用いて距離Ｌ２及びＬ３を取得する。
【００４５】
表２は、５％ｔｉｌｅ（女性）と９５％ｔｉｌｅ（男性）の肩峰点５１から肘頭５２までの距離Ｌ２と、背面５３から肩峰点５１までの距離Ｌ３とを示す。
【００４６】
【表２】
2019170801.tif 000005
【００４７】
実施の形態１では、小柄な体格のユーザから大柄な体格のユーザに対応できる張り出し量Ｌ１を算出するために、距離Ｌ２は最も大きい値を採用し、距離Ｌ３は最も小さい値を採用する。表２に示すように、最も大きい距離Ｌ２は、９５％ｔｉｌｅ（男性）の３６７ｍｍである。また、最も小さい距離Ｌ３は、５％ｔｉｌｅ（女性）の６０ｍｍである。
【００４８】
肩甲骨の関節可動域θ２は、肩及び肘を身体に沿って真っ直ぐに降ろした状態で着座したときの両肩の肩峰点５１を結ぶ線を基準線とした場合、肘頭５２を背面側に引いたときの肩峰点５１と肘頭５２とを結ぶ線と基準線とのなす最大角度を意味する。実施の形態１では、肩甲骨の関節可動域θ２は、２０°に設定されている。
【００４９】
距離Ｌ２を３６７ｍｍ、距離Ｌ３を６０ｍｍ、関節可動域θ２を２０°として、式（１）を用いて張り出し量Ｌ１を算出すると、張り出し量Ｌ１は６５．５ｍｍとなる。
【００５０】
したがって、張り出し量Ｌ１は、６５．５ｍｍ以上であることが好ましい。また、張り出し量Ｌ１は、１２３ｍｍ未満であることが好ましい。
【００５１】
次に、背もたれ面２０の張り出し形状について説明する。
【００５２】
図６Ａは、本開示の実施の形態１に係る浴槽１を底部１１から４００ｍｍの位置で切断した概略断面斜視図である。図６Ｂは、本開示の実施の形態１に係る浴槽１を底部１１から４００ｍｍの位置で切断した概略平面断面図である。なお、図６Ａ及び図６Ｂは、それぞれ、背もたれ面上部２３をＸＹ平面で切断した概略断面図を示す。
【００５３】
図６Ａ及び図６Ｂに示すように、背もたれ面上部２３は、上面視において、側壁部１２の内側に形成されるコーナー部３０よりも浴槽本体１０の内側に張り出している。具体的には、側壁部１２の高さが高くなるにつれて、コーナー部３０は、浴槽本体１０の内側から外側に向かって徐々に傾斜している。また、上面視において、背もたれ面上部２３は、側壁部１２の高さが高くなるにつれて、浴槽本体１０の内側へ徐々に隆起している。
【００５４】
このような構成により、背もたれ面２０は、背もたれ面上部２３が形成されている範囲で、浴槽本体１０の内側へ最も張り出した形状となる。
【００５５】
図７Ａは、本開示の実施の形態１に係る浴槽１を底部１１から２００ｍｍの位置で切断した概略断面斜視図である。図７Ｂは、本開示の実施の形態１に係る浴槽１を底部１１から２００ｍｍの位置で切断した概略平面断面図である。なお、図７Ａ及び図７Ｂは、それぞれ、背もたれ面下部２２をＸＹ平面で切断した概略断面図を示す。
【００５６】
図７Ａ及び図７Ｂに示すように、上面視において、背もたれ面下部２２におけるコーナー部３０から浴槽本体１０の内側への張り出しは、背もたれ面上部２３に比べて小さくなっている。具体的には、背もたれ面２０の高さが低くなるほど、側壁部１２の高さが低くなるほど、上面視における浴槽本体１０の内側への張り出し量が小さくなっている。実施の形態１では、背もたれ面下部２２は、底部１１に近づくほど、フラットな形状になっている。
【００５７】
［効果］
実施の形態１の浴槽１によれば、以下の効果を奏することができる。
【００５８】
浴槽１は、底部１１、及び底部１１の外周から上方に延びる側壁部１２を有し、且つ上面視において長手方向（Ｙ方向）と短手方向（Ｘ方向）とを有する浴槽本体１０を備える。側壁部１２において、浴槽本体１０の短手方向に延びる部分１２ａの内側には、ユーザが浴槽本体１０の内部に着座した状態でユーザの背中と接触する背もたれ面２０が形成されている。背もたれ面２０は、上面視において、側壁部１２の内側に形成されるコーナー部３０よりも浴槽本体１０の内側に向かって張り出した形状を有する。これにより、背もたれ面２０は、ユーザが浴槽本体１０の内部に着座した状態において、ユーザの肩甲骨を内側に引き寄せている。
【００５９】
このような構成により、ユーザは、筋肉の柔軟性を高め関節可動域を広げるためのストレッチを行うことができる。具体的には、ユーザが浴槽本体１０の内部に着座し、背もたれ面２０に背中を接触させた場合、ユーザの肩及び肘をコーナー部３０へ向かって引くことができる。このとき、ユーザの背中は、浴槽本体１０の内側に張り出した背もたれ面２０によって支持されるため、ユーザの肩及び肘を背面側に引いた状態で、ユーザの胸部が浴槽本体１０の内側へ押し出される。これにより、ユーザの肩甲骨が内側に引き寄せられ、鎖骨、肩甲骨及び上腕骨を接続する筋肉（例えば、僧帽筋、菱形筋、脊柱起立筋など）が伸縮する。その結果、ユーザは、入浴する際に、ストレッチを行うことができる。
【００６０】
背もたれ面２０は、浴槽本体１０の内部に着座した状態のユーザの腰部Ａ１が位置する部分Ｓ１に背もたれ面下部２２を有している。また、背もたれ面下部２２は、底部１１から上方へ向かって延び、且つ浴槽本体１０の長手方向（Ｙ方向）において、浴槽本体１０の内側から外側へ向かって傾斜する３°以上１０°未満の勾配θ１を有している。
【００６１】
このような構成により、ユーザの腰部及び臀部が背もたれ面下部２２に接触するのを抑制することができ、ユーザが入浴する際に、安定してストレッチを行うことができる。また、入浴を行うことができる。また、背もたれ面下部２２にジェットバスなどの機能部材を設置するスペースを確保することもできる。
【００６２】
背もたれ面２０は、浴槽本体１０の内部に着座した状態のユーザの肩甲骨Ａ２が位置する部分Ｓ２に背もたれ面上部２３を有している。背もたれ面上部２３は、背もたれ面下部２２から上方へ向かって延びている。背もたれ面下部２２におけるコーナー部３０から浴槽本体１０の内側への張り出しは、背もたれ面上部２３に比べて小さくなっている。
【００６３】
このような構成により、ユーザの肩甲骨をより内側に引き寄せやすくなり、より効果的なストレッチを行うことができる。
【００６４】
背もたれ面下部２２は、背もたれ面２０において、浴槽本体１０の底部１１の上面から４００ｍｍ未満の範囲に形成されており、且つ底部１１の上面から２００ｍｍ以上の高さを有する。
【００６５】
このような構成により、ユーザの着座時の姿勢をより安定させることができる。これにより、入浴する際に、ユーザはより安定してストレッチを行うことができる。
【００６６】
背もたれ面上部２３は、背もたれ面２０において、浴槽本体１０の底部１１の上面から４００ｍｍ以上上方であり、且つ底部１１の上面から６４０ｍｍ未満の範囲に形成される。
【００６７】
このような構成により、背もたれ面上部２３がユーザの肩甲骨に相当する部分に接触させやすい。また、小柄な体格から大柄な体格のユーザなどの様々なユーザが浴槽１を使用してストレッチを行うことができる。
【００６８】
なお、実施の形態１では、背もたれ面２０は、上面視において、アーチ状に湾曲して形成される張り出し形状を有する例について説明したが、これに限定されない。背もたれ面２０は、フラット面で形成されていてもよい。
【００６９】
図８は、変形例の浴槽１Ａの概略平面図である。図８に示すように、浴槽本体１０の上面視において、背もたれ面２０ａの中央部には、フラット面２４が形成されていてもよい。背もたれ面２０ａの中央部とは、長手方向（Ｙ方向）に延びる浴槽本体１０の中心線が通る部分である。浴槽本体１０の短手方向（Ｘ方向）のフラット面２４の長さは、３００ｍｍ以上であることが好ましい。浴槽本体１０の高さ方向において、フラット面２４は、傾斜面２１から底部１１まで形成されている。
【００７０】
浴槽１Ａによれば、ユーザの背中がフラット面２４で支持されることによって、ユーザは入浴しながら、より安定してストレッチを行うことができる。具体的には、ユーザの肩甲骨、頸部、頭部又は背中がフラット面２４と面接触するため、より安定してユーザの身体を支えることができる。
【００７１】
実施の形態１では、背もたれ面下部２２は、底部１１に近づくほど、フラットな形状になっている例について説明したが、これに限定されない。背もたれ面下部２２は、背もたれ面上部２３と比べて、上面視における張り出しが小さければよい。
【００７２】
図９Ａは、別の変形例の浴槽１Ｂを底部１１から４００ｍｍの位置で切断した概略平面断面図である。図９Ｂは、別の変形例の浴槽１Ｂを底部１１から２００ｍｍの位置で切断した概略平面断面図である。なお、図９Ａ及び図９Ｂは、それぞれ、背もたれ面上部２３及び背もたれ面下部２２をＸＹ平面で切断した概略断面図を示す。
【００７３】
図９Ａ及び図９Ｂに示すように、浴槽１Ｂでは、側壁部１２の高さが低くなるほど、背もたれ面２０ｂにおける浴槽本体１０の内側への張り出し量が小さくなっている。具体的には、図９Ａに示すように、背もたれ面上部２３ａにおいては、張り出し量Ｌ１となっている。これに対し、図９Ｂに示すように、背もたれ面下部２２ａにおいては、張り出し量Ｌ１より小さい張り出し量Ｌ４となっている。即ち、背もたれ面下部２２ａの張り出し量Ｌ４は、背もたれ面上部２３ａの張り出し量Ｌ１より小さくなっている。
【００７４】
一方で、浴槽１Ｂでは、背もたれ面下部２２ａは、底部１１に近づいても、フラットな形状にならずに、張り出した形状が続いている。このような構成であっても、ユーザは入浴しながら、ストレッチを行うことができる。
【００７５】
実施の形態１では、浴槽本体１０は、長手方向及び短手方向を有する矩形状である例について説明したが、これに限定されない。例えば、浴槽本体１０は、楕円又は正方形などの形状であってもよい。
【００７６】
実施の形態１では、側壁部１２において短手方向に延びる２つの部分１２ａの内側に、それぞれ、背もたれ面２０をそれぞれ形成する例について説明したが、これに限定されない。背もたれ面２０は、側壁部１２において短手方向に延びる２つの部分１２ａのうちいずれか一方に設けられていればよい。
【００７７】
実施の形態１では、日本人の人体寸法データ（日本人の人体寸法データ２００４−２００６、一般社団法人  人間生活工学研究センター）を用いて、背もたれ面２０の各種寸法を決定する例について説明したが、これに限定されない。他の人体寸法データを用いて、背もたれ面２０の各種寸法を決定してもよい。
【００７８】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【符号の説明】
【００７９】
１、１Ａ、１Ｂ  浴槽
１０      浴槽本体
１１      底部
１２      側壁部
１２ａ    部分（側壁部）
１２ｂ    部分（側壁部）
１３      フランジ部
２０、２０ａ、２０ｂ  背もたれ面
２１      傾斜面
２２、２２ａ  背もたれ面下部
２３、２３ａ  背もたれ面上部
２４      フラット面
３０      コーナー部
５１      肩峰点
５２      肘頭
【図１】
2019170801.tif 000006
【図２】
2019170801.tif 000007
【図３】
2019170801.tif 000008
【図４】
2019170801.tif 000009
【図５】
2019170801.tif 000010
【図６Ａ】
2019170801.tif 000011
【図６Ｂ】
2019170801.tif 000012
【図７Ａ】
2019170801.tif 000013
【図７Ｂ】
2019170801.tif 000014
【図８】
2019170801.tif 000015
【図９Ａ】
2019170801.tif 000016
【図９Ｂ】
2019170801.tif 000017